(57)【要約】【課題】複数の人が階段手摺を同時に利用できるとともに、駆動装置や駆動伝達機構を備えた複雑な装置を使用することなく、圧縮スプリングの引く力を利用して階段を楽に昇れるように補助する簡単な構造の階段手摺を提供する。【解決手段】階段１を昇る人が握る握り部５が階段手摺３に間隔をおいて複数配置され、握り部５は、握り棒６の前後が一対の支持棒７の上部に枢着されるとともに、それぞれの支持棒７の下部が階段手摺３に回動自在に枢着されて握り棒６が上下に平行移動可能に設けられ、階段上り側の固定部材９に圧縮スプリング１１の一端が固定され、他端が階段下り側の支持棒７に固定されて握り部５を引くことにより階段を昇る人に引き上げる力が付与される。【選択図】図１
0003173029.tif 000002
【実用新案登録請求の範囲】
【請求項１】
階段を昇る人が握る握り棒を備えた握り部が階段手摺に間隔をおいて複数配置され、前記握り部は、手摺に一端が固定された圧縮スプリングの他端が連結されて階段の上り側に付勢されており、前記握り棒を階段の下り側に引くことにより階段を上る人に引き上げる力が付与されることを特徴とする階段手摺。
【請求項２】
前記握り部は、握り棒の前後が一対の支持棒の上部に枢着されるとともに、それぞれの支持棒の下部が階段手摺に回動自在に枢着されて握り棒が上下に平行移動可能に設けられ、階段上り側の固定部材に圧縮スプリングの一端が固定され、他端が下り側の支持棒に固定されていることを特徴とする請求項１に記載の階段手摺。
【請求項３】
前記握り部は、握り棒の前後が一対の支持棒の上部に固定され、それぞれの支持棒の下端が案内棒で連結され、案内棒は手摺の底部に固定された階段の上り側と下り側の固定部材に設けられた案内ローラに挟持されて案内されて握り部が階段の上り側及び下り側に移動可能に設けられ、握り部の階段の上り側の支持棒には圧縮スプリングの一端が固定され、他端が階段の下り側の固定部材に固定されていることを特徴とする請求項１に記載の階段手摺。
【考案の詳細な説明】
【技術分野】
【０００１】
本考案は、駅の階段などのように複数の人が同時に階段手摺を握って上ろうとする際に、各人に引っ張り力を作用させて階段の上りが楽になるように補助することのできる階段手摺に関する。
【背景技術】
【０００２】
高齢者や身体の不自由な人にとって、階段を上るのはきつくて体力を必要するものであり、苦労を強いられている場合が多い。そこで、階段の上りを補助して楽に上れるようにするため、各種の補助装置が提案されている。
【０００３】
例えば、特許文献１には、階段を上る際に握り部を握ることにより二階への上ることが楽となる階段昇降補助装置が提案されている。この階段昇降補助装置は、階段の上下両端に設けた滑車間に往復索道線を環状に張り、往復索道線の下方部分には昇降を補助する握り部を備え、他方の上部下側端には重量物を装着し、重量物は握り部に連動して降昇し、その重量物の重心力により、利用者は少ないエネルギーで階段の昇降が可能になるというものである。
【０００４】
また、特許文献２には、安全に昇降できる階段手摺が提供されている。この階段手摺は、手摺本体と、昇降補助具と、駆動ワイヤ−とからなり、手摺本体は側壁に長手方向に沿ってスリット状の開口部が設けられた筒状体で、昇降補助具は摺動部材とグリップとからなり、摺動部材が階段手摺本体の筒の中に摺動可能に挿入され、グリップが手摺本体の開口部より突出し、駆動装置に連結された駆動ワイヤ−が手摺本体の中を通って摺動部材の上端に、別の駆動ワイヤ−が手摺本体の中を通って下端にそれぞれ繋がれて、昇降補助具が昇降可能になされているものである。
【０００５】
前記特許文献１、２では、握り部を駆動させためにモータなどの駆動装置、駆動力を握り部に伝達する駆動伝達機構を必要とするため、構造が複雑になり、コストも高くなるだけでなく、上る人を強制的に移動させるので安全対策も必要になる、という問題がある。
【０００６】
そこで、本出願人は、特許文献３に示すように、駆動装置や駆動伝達機構を備えた複雑な装置を使用することなくスプリングの引く力を利用して階段を楽に昇れるように補助する簡単な構造の階段手摺を提案した。
【０００７】
図７は特許文献３に示す補助装置付き階段手摺の概略図で、図７において、階段２１の最上段及び最下段に立設した支柱２２ａ，２２ｂの間に支持された階段手摺２３の両端は、それぞれの支柱２２ａ，２２ｂの支持管２４にスライド自在に支持されている。階段手摺２３の両端にはそれぞれ、連結ワイヤ２５の一端が連結され、連結ワイヤ２５の他端は支柱２２ａ，２２ｂ内の下部に下端が固定されている圧縮スプリング２６の上端に連結されている。
【０００８】
圧縮スプリング２６の上端に連結された連結ワイヤ２５は、支柱２２ａ，２２ｂ内を垂直方向へ延び、さらに水平ガイドローラ２７により水平方向にガイドされ、支持管２４内にある階段手摺２３の端に連結されている。階段手摺２３は、両支柱内に配置されているそれぞれの圧縮スプリング２６により互いに逆方向に引っ張られた状態に維持されて支柱２２ａ，２２ｂ間に支持される。
【０００９】
この補助装置付き階段手摺では、階段２１を上る人は、階段手摺２３を握り、一段上のステップに一方の足を載せ、腕を曲げて階段手摺２３を引きながら身体を上方に移動させて他方の足を１段上あるいは２段のステップに載せて上る。その際、階段手摺２３を引くと、圧縮スプリング２６により階段１の上り方向に引っ張る力が作用し、その引っ張る力が上る人を引き上げる力として付与される。こうして、ステップを上るごとに階段手摺２３を握って引くことにより上る人を引き上げる力が付与されるので、階段を楽に上ることが可能となる。
【先行技術文献】
【特許文献】
【００１０】
【特許文献１】特開２００８−２１４０９４号公報
【特許文献２】特開平１０−３３８４４２号公報
【特許文献３】実用新案登録第３１６６０７０号公報
【考案の概要】
【考案が解決しようとする課題】
【００１１】
前記特許文献３に記載された補助装置付き階段手摺では、ひとりの人が階段手摺２３を握って引くと他の人は引くことができないので、同時に利用することができず、例えば、駅の階段、歩道橋等の公共の施設の階段のように複数の人が同時に利用する階段には適用できないという問題がある。
【００１２】
そこで、本考案は、複数の人が同時に利用できるとともに、駆動装置や駆動伝達機構を備えた複雑な装置を必要とせずに、圧縮スプリングの引く力を利用して階段を楽に昇れるように補助することが可能な簡単な構造の階段手摺を提供するものである。
【課題を解決するための手段】
【００１３】
請求項１の考案は、階段を昇る人が握る握り棒を備えた握り部が階段手摺に間隔をおいて複数配置され、前記握り部は、手摺に一端が固定された圧縮スプリングの他端が連結されて階段の上り側に付勢されており、前記握り棒を階段の下り側に引くことにより階段を上る人に引き上げる力が付与されることを特徴とする階段手摺である。
【００１４】
請求項２の考案は、前記握り部は、握り棒の前後が一対の支持棒の上部に枢着されるとともに、それぞれの支持棒の下部が階段手摺に回動自在に枢着されて握り棒が上下に平行移動可能に設けられ、階段上り側の固定部材に圧縮スプリングの一端が固定され、他端が下り側の支持棒に固定されていることを特徴とする請求項１に記載の階段手摺である。
【００１５】
請求項３の考案は、前記握り部は、握り棒の前後が一対の支持棒の上部に固定され、それぞれの支持棒の下端が案内棒で連結され、案内棒は手摺の底部に固定された階段の上り側と下り側の固定部材に設けられた案内ローラに挟持されて案内されて握り部が階段の上り側及び下り側に移動可能に設けられ、握り部の階段の上り側の支持棒には圧縮スプリングの一端が固定され、他端が階段の下り側の固定部材に固定されていることを特徴とする請求項１に記載の階段手摺である。
【考案の効果】
【００１６】
本考案の階段手摺は、握り棒を備えた複数の握り部が間隔をおいて配置されているため、複数の人が階段を上ろうとする場合、各人が別々の握り棒を握ることができ、握り棒を握って引くと握り部に圧縮スプリングにより階段の上り側に引っ張る力が作用して上る人を引き上げる力となるので、複数の人が同時に階段を楽に上ることが可能となる。
【００１７】
また、本考案の階段手摺は、駆動装置や駆動伝達機構などを必要としないので、簡単な構造の階段手摺が得られる。
【図面の簡単な説明】
【００１８】
【図１】本考案の第１実施例の全体を示す概略図である。
【図２】図１の握り部の拡大図である。
【図３】図１の握り部の手摺内を示す縦断面図である。
【図４】本考案の第２実施例の全体を示す概略図である。
【図５】図４の握り部の拡大図である。
【図６】図４の握り部の手摺内を示す縦断面図である。
【図７】従来の補助装置付き階段手摺の概略図である。
【考案を実施するための形態】
【００１９】
本考案の実施例について図面を参照しながら説明する。
【００２０】
＜実施例１＞
図１〜図３において、本実施例の階段手摺は、階段１の片側あるいは両側に配置され、階段１の最上段及び最下段に立設した支柱２ａ，２ｂと、この両支柱２ａ，２ｂの間に支持された階段手摺３で構成される。階段手摺３には間隔をおいて握り部５が配置されている。なお、階段手摺は壁に取り付けられる場合もある。
【００２１】
握り部５は握り棒６と、握り棒６の前後に枢着された一対の支持棒７により門型に構成されている。握り棒６の前後は一対の支持棒７の上部にピン８により枢着され、それぞれの支持棒７の下部は、階段手摺３の底部に固定された階段１の上り側と下り側の固定部材９にピン１０で回動自在に枢着されている。支持棒７の上部は手摺３の上面に手摺３の長手方向に形成されたスリットから外側へ延びている。この構造により握り棒６を握って階段の下り側に引けば、握り棒６は定位置から下方に平行移動可能となる。
【００２２】
階段上り側の固定部材９には圧縮スプリング１１の一端が固定され、他端が階段の下り側の支持棒７に固定されている。圧縮スプリング１１は、引いた握り棒６が階段の上り側へ引かれる力を発生する。なお、本実施例では、圧縮スプリング１１を前後の支持棒７の間に配置しているが、この配置に限らず、圧縮スプリング１１は引いた握り棒６を階段の上り側に引く力が作用するように配置すればよい。
【００２３】
本実施例の階段手摺の使用方法について説明する。
【００２４】
階段１を上る人は、握り棒６を握り、一段上のステップに一方の足を載せ、腕を曲げて握り棒６を引きながら身体を上方に移動させて他方の足を１段上あるいは２段のステップに載せて上る。その際、握り棒６を引くことにより、圧縮スプリング１１により引いた握り棒６に階段１の上り側に引っ張る力が作用し、その引っ張る力が上る人を引き上げる力として付与される。
【００２５】
ステップを上るごとに握り部５を握り替えて引くことにより上る人を引き上げる力が付与されるので、階段１を楽に上ることが可能となる。後から上る人も同様に握り棒６を握り替えて引くことにより楽に上ることができる。
【００２６】
本実施例では、複数の握り部５が間隔をおいて複数配置されているため、複数の人が別々の握り棒６を握ることができるとともに、握り部５が互いに干渉することがないので、複数の人が独立して握り棒６を握って楽に上ることが可能となる。
【００２７】
＜実施例２＞
図４〜図６において、本実施例の階段手摺は、実施例１と同様に、階段１の片側あるいは両側に配置され、階段１の最上段及び最下段に立設した支柱２ａ，２ｂと、この両支柱２ａ，２ｂの間に支持された階段手摺３で構成され、階段手摺３には間隔をおいて握り部５が配置されている。
【００２８】
握り部５は、握り棒６、握り棒６に固定された一対の支持棒７、支持棒７に連結された案内棒１２により矩形に構成されている。握り棒６の前後は支持棒７の上部に固定され、それぞれの支持棒７の下端は、案内棒１２で連結されている。支持棒７の上部は手摺３の上面に形成されたスリットから外側へ延びている。
【００２９】
案内棒１２は階段手摺３の底部に固定された階段１の上り側と下り側の固定部材９に設けられた案内ローラ１３に挟持され、握り部５が上り側、下り側に案内される。
【００３０】
握り部５の階段上り側の支持棒７には圧縮スプリング１１の一端が固定され、他端が下り側の固定部材９に固定されている。圧縮スプリング１１により、握り部５が階段の上り側へ戻される力が発生する。
【００３１】
本実施例の階段手摺の使用方法について説明する。
【００３２】
階段１を上る人は、握り棒６を握り、一段上のステップに一方の足を載せ、腕を曲げて握り棒６を引きながら身体を上方に移動させて他方の足を１段上あるいは２段のステップに載せて上る。その際、握り棒６を引くことにより、握り部５が案内ローラ１３に沿って移動し、圧縮スプリング１１により引いた握り棒６に階段１の上り側に引っ張る力が作用し、階段１の上り方向に引っ張る力が作用し、その引っ張る力が上る人を引き上げる力として付与される。
【００３３】
ステップを上るごとに握り部５を握り替えて引くことにより上る人を引き上げる力が付与されるので、階段１を楽に上ることが可能となる。後から上る人も同様に握り部５を握り替えて引くことにより楽に上ることができる。
【００３４】
本実施例では、複数の握り部５が間隔をおいて複数配置されているため、複数の人が別々の握り棒６を握ることができるとともに、握り部５が互いに干渉することがないので、複数の人が別々に握り部５を利用して楽に上ることが可能となる。
【符号の説明】
【００３５】
１：階段                  ２ａ，２ｂ：支柱
３：階段手摺            
５：握り部                ６：握り棒
７：支持棒                ８：ピン
９：固定部材            １０：ピン
１１：圧縮スプリング      １２：案内棒
１３：案内ローラ
２１：階段                ２２ａ，２２ｂ：支柱
２３：握り棒              ２４：支持管
２５：連結ワイヤ          ２６：圧縮スプリング
２７：水平ガイドローラ  
【図１】
0003173029.tif 000003
【図２】
0003173029.tif 000004
【図３】
0003173029.tif 000005
【図４】
0003173029.tif 000006
【図５】
0003173029.tif 000007
【図６】
0003173029.tif 000008
【図７】
0003173029.tif 000009